【事件の表示】
　特願２０１４−２５７２１０「利得切替可能な光増幅器」拒絶査定不服審判事件〔平成２７年　７月　９日出願公開，特開２０１５−１２８１５７〕について，次のとおり審決する。
【結　論】
　本件審判の請求は，成り立たない。
【理　由】
１　手続の経緯
　本願は，平成２６年１２月１９日（パリ条約による優先権主張２０１３年１２月２０日）の出願であって，平成２７年１１月２５日付けで拒絶理由が通知され，平成２８年４月１日に手続補正がされ，同年８月１７日付けで拒絶査定がされ，これに対して同年１２月２２日に審判請求がされると同時に手続補正がされ，その後，平成３０年１月３１日付けで当審より拒絶理由が通知され，同年６月５日に手続補正がされたものである。
２　本願発明
　本願発明は，平成３０年６月５日にされた手続補正により補正された特許請求の範囲の請求項１〜１２に記載されている事項により特定されるとおりのものであり，そのうち請求項１に係る発明は，特許請求の範囲の請求項１に記載されている事項により特定される以下のとおりのもの（以下「本願発明」という。）である。
「【請求項１】
　入力ポートと，
　前記入力ポートに光学的に結合されたバークロススイッチと，
　前記バークロススイッチの第1のポートと出力ポートとの間に光学的に結合された第1の利得段と，
　前記バークロススイッチの第2のポートと第3のポートとの間に光学的に結合された二次利得段と，
　光ビームの入力パワーを測定し，それを入力としてコントローラに提供する入力フォトダイオードと，
　光ビームの出力パワーを測定し，それを入力としてコントローラに提供する出力フォトダイオードと
を備える光増幅器であって，前記バークロススイッチのバー状態では，前記二次利得段がバイパスされ，クロス状態では，前記二次利得段および前記第1の利得段が入力光ビームに適用され，
　前記コントローラは，１つ又は複数のポンプ源，ならびに前記バークロススイッチのスイッチ状態を制御するために，前記光ビームの入力パワーと前記光ビームの出力パワーの測定値を使用し，
　前記二次利得段が，各々が個別の利得平坦化フィルタと，アイソレータと，希土類ドープファイバとを備える複数のカスケード接続利得段を備え，
　前記カスケード接続利得段の1つまたは複数が，前の段からの残余ポンプ光を使用する，光増幅器。」
３　刊行物に記載された発明
（１）引用例１：　特開２０１１−２４３８０３号公報
　当審において通知した拒絶理由に引用され，本願の優先日前に日本国内において頒布された特開２０１１−２４３８０３号公報（以下「引用例１」という。）には，図１，図３，及び図６とともに以下の記載がある（下線は当審で付加。以下同様。）
「【０００４】
　ここで，一般的な光ファイバ増幅装置の構成について，図６を参照して説明する。なお，図６に示す光ファイバ増幅装置５の構成は，後述する本発明の光ファイバ増幅装置と基本的な構成部分が同じであるため，ここで，その構成と動作について説明しておく。
　図６に示す光ファイバ増幅装置５は，光部品群と励起レーザとで構成され，伝送する信号光を増幅する光モジュール部１００Ｂと，この光モジュール部１００Ｂを制御する電子制御部２００Ｂと，に分類することができる。
【０００５】
　光モジュール部１００Ｂは，光コネクタ１０１及び１０２と，光カプラ１１１〜１１４と，光検出器であるＰＤ１０４及び１０５と，信号光を光直接増幅する媒体であるＥＤＦ１０３と，励起レーザであるＬＤ１０６及びＬＤ１０７とで構成される。
　この光モジュール部１００Ｂにおいては，光コネクタ１０１とＥＤＦ１０３の入力端とが光ファイバの伝送路１１５を通して接続され，また，ＥＤＦ１０３の出力端は，光ファイバの伝送路１１６を通して光コネクタ１０２に接続される。この光ファイバの伝送路１１５上には，光検出器であるＰＤ１０４に信号光を分波するための光カプラ１１１と，励起レーザであるＬＤ１０６から出力される励起光を合波するための光カプラ１１２とが設けられている。また，光ファイバの伝送路１１６上には，光検出器であるＰＤ１０５に信号光を分波するための光カプラ１１４と，励起レーザであるＬＤ１０７から出力される励起光を合波するための光カプラ１１３とが設けられている。
【０００６】
　光カプラ１１１はＰＤ１０４と光ファイバにより接続されており，光カプラ１１１により分波された光信号がＰＤ１０４に入力される。ＰＤ１０４は，光カプラ１１１から入力される光信号を検出することにより，光コネクタ１０１から光モジュール部１００Ｂに入力される光信号のパワー強度を検出する。また，光カプラ１１４はＰＤ１０５と光ファイバにより接続されており，光カプラ１１４により分波された光信号がＰＤ１０５に入力される。ＰＤ１０５は，光カプラ１１４から入力される光信号を検出することにより，光コネクタ１０２から出力される信号光のパワー強度を検出する。
　また，光カプラ１１２はＬＤ１０６と光ファイバにより接続されており，この光カプラ１１２を通して，ＬＤ１０６から出力される励起光をＥＤＦ１０３に注入する。また，光カプラ１１３はＬＤ１０７と光ファイバにより接続されており，この光カプラ１１３を通して，ＬＤ１０７から出力される励起光をＥＤＦ１０３に注入する。」
「【００１４】
　本発明は上記課題を解決するためになされたものであり，
本発明の光ファイバ増幅装置は，入力した信号光を第１のＥＤＦにより増幅する光ファイバ増幅装置に，前記第１のＥＤＦのファイバ長を増大させるための増設用の第２のＥＤＦと，前記信号光の伝送経路を変更するための光スイッチとを追加し，前記光スイッチを制御することにより，前記第１のＥＤＦに前記増設用の第２のＥＤＦを直列に接続して信号光を伝送するか，または，前記増設用の第２のＥＤＦを迂回して信号光を伝送するかを選択する
　本発明の光ファイバ増幅装置においては，増設用の第２のＥＤＦと光スイッチとを追加し，この光スイッチを制御することにより，常時使用される第１のＥＤＦ（固定的に使用されるＥＤＦ）と増設用の第２のＥＤＦと直列に接続し，この増設用の第２のＥＤＦによりファイバ長を延長して光信号を増幅するか，または，増設用の第２のＥＤＦを迂回し，第１のＥＤＦのみより光信号を増幅するかを選択可能にする。
　
これにより，運用状態においても信号光を遮断することなく，光ファイバ増幅装置の光増幅強度を増大させることができる
【発明の効果】
【００１５】
　本発明の光ファイバ増幅装置においては，第１のＥＤＦに対して，第１のＥＤＦのファイバ長を増大させるための増設用の第２のＥＤＦを直列に接続して光信号を伝送するか，または，増設用の第２のＥＤＦを迂回して信号光を伝送するかを，光スイッチにより選択できるようにしたので，これにより，信号光を遮断することなく光増幅強度を増大できる光ファイバ増幅装置を提供できる。」
「【００１７】
　以下，本発明の光ファイバ増幅装置の実施の形態について，図面を参照して説明する。
　図１は，本発明の実施形態に係わる光ファイバ増幅装置の構成を示す図である。図１に示す光ファイバ増幅装置１は，本発明の代表的な構成例として，ＥＤＦを用いた光直接増幅器の例を示したものである。
　
図１に示す光ファイバ増幅装置１が，図６に示す一般的な光ファイバ増幅装置５と構成上異なるのは，図６に示す光ファイバ増幅装置５に，図１に示す光スイッチ１０８と，光スイッチ１０９と，符号１２０で示すＥＤＦ増設ポートＸ１とを新たに追加した点である。このＥＤＦ増設ポートＸ１には，符号１３０で示す増設ＥＤＦモジュールＺ１が挿入される。他の構成は図６に示す光ファイバ増幅装置４と同様である
【００１８】
　
図１に示す光ファイバ増幅装置１において，光モジュール部１００では，光コネクタ１０１から信号光を入力し，ＥＤＦ１０３（またはＥＤＦ１０３と増設ＥＤＦモジュールＺ１内のＥＤＦ１３３）により信号光を増幅し，この増幅された信号光を光コネクタ１０２から出力する。ＥＤＦ１０３とＥＤＦ１３３は信号光を光直接増幅する媒体である。ＰＤ１０４及びＰＤ１０５は，光モジュール部１００の入出力信号（光信号）の信号光パワーを検出するための光検出器である。励起レーザであるＬＤ１０６及びＬＤ１０７は，ＥＤＦ１０３に励起光を注入すると共に，ＥＤＦ増設ポートＸ１（１２０）に実装される増設ＥＤＦモジュールＺ１（１３０）内のＥＤＦ１３３に励起光を注入する
【００１９】
　
光スイッチ１０８及び光スイッチ１０９は，信号光および励起光の伝送方向を切り替えるための光スイッチである
【００２０】
　また，増設ＥＤＦモジュールＺ１は，ＥＤＦ増設ポートＸ１の光コネクタ１２１と接続するための光コネクタ１３１と，ＥＤＦ増設ポートＸ１の光コネクタ１２２と接続するための光コネクタ１３２とを有している。この増設ＥＤＦモジュールＺ１は，光増幅強度を増大させるためのＥＤＦ１３３が搭載されており，このＥＤＦ１３３の入力端は光コネクタ１３１に，出力端は光コネクタ１３２に接続されている。
【００２１】
　また，上記光スイッチ１０８は，１つの入力ポートＣＭと２つの出力ポートＡ，Ｂとを有し，入力ポートＣＭから入力された信号光を２つの出力ポートＡ，Ｂの内のいずれかのポートを選択して出力する，１×２の光インターフェースを有する光スイッチである。また，光スイッチ１０９は，２つの入力ポートＣ，Ｄと１つの出力ポートＣＭとを有し，２つの入力ポートＣ，Ｄの内のいずれかのポートから入力される信号光を選択して１つの出力ポートＣＭに出力する，２×１の光インターフェースを有する光イッチである。
【００２２】
　この光スイッチ１０８の入力ポートＣＭにＥＤＦ１０３の出力端が接続され，光スイッチ１０８の出力ポートＡは，光コネクタ１２０及び光コネクタ１３１を介して，増設ＥＤＦモジュールＺ１内のＥＤＦ１３３の入力端に接続される。光スイッチ１０８の出力ポートＢは，光スイッチ１０９の入力ポートＤに接続される。また，光スイッチ１０９の入力ポートＣは，光コネクタ１２２及び光コネクタ１３２を介して，増設ＥＤＦモジュールＺ１内のＥＤＦ１３３の出力端に接続される。光スイッチ１０９の入力ポートＤは，光スイッチ１０８の出力ポートＢに接続される。
【００２３】
　また，
電子制御部２００内の変換部２０１は，光検出器ＰＤ１０４から出力される光電流の信号を数値データ化するための変換回路であり，変換部２０２は，光検出器ＰＤ１０５から出力される光電流の信号を数値データ化するための変換回路である。ＬＤ制御部２０３は，ＬＤ１０６から出力される励起光パワーを制御するための回路であり，ＬＤ制御部２０４は，ＬＤ１０７から出力される励起光パワーを制御するための回路である。演算制御部２１１は，変換部２０１及び変換部２０２から出力される光信号の数値データを受信し，信号光を増幅するために必要な励起光パワーを算出し，制御線Ｓを通してＬＤ制御部２０３及びＬＤ制御部２０４に制御データを設定するための演算制御部である。また，演算制御部２１１は，光スイッチ１０８と制御線Ｓ１で接続されており，この制御線Ｓ１を通して，光スイッチ１０８におけるポート切り替えを制御する。同様に，演算制御部２１１は，光スイッチ１０９と制御線Ｓ２で接続されており，この制御線Ｓ２を通して，光スイッチ１０９におけるポート切り替えを制御する
【００２４】
　図１に示す光ファイバ増幅装置１の構成において，
光スイッチ１０８はＥＤＦ１０３から入力される信号光を，ＥＤＦ増設ポートＸ１の光コネクタ１２１に出力するか，またはＥＤＦ増設ポートＸ１を迂回して光スイッチ１０９のポートＤに出力するかを選択する。光スイッチ１０９は，ＥＤＦ増設ポートＸ１の光コネクタ１２２から入力される信号光，または光スイッチ１０８のポートＢから入力される信号光のいずれか選択し，光コネクタ１０２から出力する
【００２５】
　光ファイバ増幅装置１が，初期の光増幅強度で信号光を増幅している運用状態においては，光スイッチ１０８のポートＢ，光スイッチ１０９のポートＤを選択することにより，ＥＤＦ１０３だけで増幅された信号光を光コネクタ１０２から出力される。ここで，光ファイバ増幅装置１の信号光パワーの光増幅強度を増大させる場合，ＥＤＦ増設ポートＸ１に増設ＥＤＦモジュールＺ１を実装し，光スイッチ１０８のポートＡ，光スイッチ１０９のポートＣを選択する。これにより，増設ＥＤＦモジュールＺ１（１３０）に，信号光と，ＬＤ１０６及びＬＤ１０７からの励起光パワーとが流入し，ＥＤＦ１０３と，増設ＥＤＦモジュールＺ１内のＥＤＦ１３３の両方で信号光が増幅される。このように，
本発明の光ファイバ増幅装置１では，光スイッチ１０８及び１０９を制御することにより，運用状態においても信号光を遮断することなく，光ファイバ増幅装置１における光増幅強度を増大させることが可能となる
「【００２８】
　
また，図１に示す例では，光スイッチ１０８及び光スイッチ１０９は，１×２及び２×１の光インターフェースを有する光スイッチで構成されているが，信号光の伝送方向を切り替えることが可能な構成な光スイッチであれば，どのような構成のものであってもよい
「【００３２】
　また，
ＥＤＦ１０３及び増設ＥＤＦモジュールＺ１内のＥＤＦ１３３の前後に，信号光の信号品質を維持するために光利得等化器（ＧＥＱ），光減衰器（ＶＯＡ），光利得傾斜器（ＶＡＳＫ），光アイソレータ等の光デバイスを接続する構成とすることもできる
「【００４０】
　［第２の実施形態］
　次に，本発明の第２の実施形態について説明する。図３は，本発明の第２の実施形態に係わる光ファイバ増幅装置の構成を示す図である。図３に示す光ファイバ増幅装置２の構成は，図１に示す光ファイバ増幅装置１と比較して，基本的な構成は同じであるが，更に，光スイッチ１４１と，光スイッチ１４２と，符号１５０で示すＥＤＦ増設ポートＸ２とを追加した点が異なる。他の構成は図１に示す光ファイバ増幅装置１と同様である。このため，同一の構成部分には同一の符号を付し，重複する説明は省略する。
【００４１】
　・・・（中略）・・・
【００４５】
　図３に示す光ファイバ増幅装置２では，まず初期構成において演算制御部２１１により光スイッチ１４１及び光スイッチ１４２を制御し，光スイッチ１４１のポートＦ，および光スイッチ１４２のポートＨを選択しておく。そして，初期構成の運用状態から，ＥＤＦ増設ポートＸ１に増設ＥＤＦモジュールＺ１を実装して拡張構成の運用状態とした後に，更に光ファイバ増幅装置２の光増幅強度を増大したい場合は，ＥＤＦ増設ポートＸ２に増設ＥＤＦモジュールＺ２を実装する。
　そして，演算制御部２１１から光スイッチ１４１及び光スイッチ１４２を制御し，光スイッチ１４１のポートＥおよび光スイッチ１４２のポートＧを選択する。この構成により，ＥＤＦ１０３と，ＥＤＦ１３３と，ＥＤＦ１６３とがあたかも直列に接続される構成となり，これらのＥＤＦ１０３，１３３，１６３のそれぞれにＬＤ１０６及びＬＤ１０７から励起光を注入することが可能となる。これにより，ＥＤＦ１０３と，ＥＤＦ１３３と，ＥＤＦ１６３とを用いて信号光を増幅することができる。
【００４６】
　上記構成により，光ファイバ増幅装置２が増設ＥＤＦモジュールＺ１を用いた拡張構成にて運用状態であっても，更に増設ＥＤＦモジュールＺ２を増設することが可能となり，信号光を遮断することなく，光増幅強度を増大させることが可能となる。なお，第２の実施形態では，ＥＤＦ増設ポートＸ１とＥＤＦ増設ポートＸ２とを２段に直列に接続する構成例を示したが，更に拡張して，ＥＤＦ増設ポートを多段（３段以上）に直列に接続する構成とすることもできる。この場合，多段のＥＤＦ増設ポートに対して，所望の個数の増設ＥＤＦモジュールを装着することにより，光ファイバ増幅装置における増幅強度を可変に設定することができる。」
　ここで，図１は以下のものである。
イ　以上の記載から，引用例１には以下の発明が記載されているものと認められる（以下「引用発明」という。）。
「光ファイバ増幅装置１であって，光モジュール部１００及び電子制御部２００からなり，
　光モジュール部１００では，光コネクタ１０１から信号光を入力し，ＥＤＦ１０３（またはＥＤＦ１０３と増設ＥＤＦモジュールＺ１内のＥＤＦ１３３）により信号光を増幅し，この増幅された信号光を光コネクタ１０２から出力し，
　ＥＤＦ１０３とＥＤＦ１３３は信号光を光直接増幅する媒体であり，
　ＰＤ１０４及びＰＤ１０５は，光モジュール部１００の入出力信号（光信号）の信号光パワーを検出するための光検出器であり，
　励起レーザであるＬＤ１０６及びＬＤ１０７は，ＥＤＦ１０３に励起光を注入すると共に，ＥＤＦ増設ポートＸ１（１２０）に実装される増設ＥＤＦモジュールＺ１（１３０）内のＥＤＦ１３３に励起光を注入するものであり，
　光スイッチ１０８及び光スイッチ１０９は，信号光および励起光の伝送方向を切り替えるための光スイッチであって，
　光スイッチ１０８はＥＤＦ１０３から入力される信号光を，ＥＤＦ増設ポートＸ１の光コネクタ１２１に出力するか，またはＥＤＦ増設ポートＸ１を迂回して光スイッチ１０９のポートＤに出力するかを選択し，光スイッチ１０９は，ＥＤＦ増設ポートＸ１の光コネクタ１２２から入力される信号光，または光スイッチ１０８のポートＢから入力される信号光のいずれか選択し，光コネクタ１０２から出力するものであり，
　電子制御部２００内は，変換部２０１，変換部２０２，ＬＤ制御部２０３，ＬＤ制御部２０４，演算制御部２１１を備え，
変換部２０１は，光検出器ＰＤ１０４から出力される光電流の信号を数値データ化するための変換回路であり，
変換部２０２は，光検出器ＰＤ１０５から出力される光電流の信号を数値データ化するための変換回路であり，
ＬＤ制御部２０３は，ＬＤ１０６から出力される励起光パワーを制御するための回路であり，
ＬＤ制御部２０４は，ＬＤ１０７から出力される励起光パワーを制御するための回路であり，
演算制御部２１１は，変換部２０１及び変換部２０２から出力される光信号の数値データを受信し，信号光を増幅するために必要な励起光パワーを算出し，制御線Ｓを通してＬＤ制御部２０３及びＬＤ制御部２０４に制御データを設定するための演算制御部であり，また，演算制御部２１１は，光スイッチ１０８と制御線Ｓ１で接続されており，この制御線Ｓ１を通して，光スイッチ１０８におけるポート切り替えを制御し，同様に，演算制御部２１１は，光スイッチ１０９と制御線Ｓ２で接続されており，この制御線Ｓ２を通して，光スイッチ１０９におけるポート切り替えを制御するものであり，
　光スイッチ１０８及び１０９を制御することにより，運用状態においても信号光を遮断することなく，光増幅強度を増大させることが可能である，
光ファイバ増幅装置１。」
（２）引用例２：国際公開第２００５／０１８０６５号
ア　当審において通知した拒絶理由に引用され，本願の優先日前に外国において頒布された国際公開第２００５／０１８０６５号（以下「引用例２」という。）には，第１図とともに以下の記載がある。
「図１は，本発明の実施形態にかかる光増幅装置１の構成を示す図である。光増幅装置１は，入射した光を増幅して出射する。
　
光増幅装置１は，第一前置光ファイバ増幅器１２，第一前置励起光源１４，第一ＷＤＭカプラ（第一前置励起光導入手段）１６，第一後置光ファイバ増幅器１８，第二前置光ファイバ増幅器２２，第二前置励起光源２４，第二ＷＤＭカプラ（第二前置励起光導入手段）２６，第二後置光ファイバ増幅器２８，後置励起光源３４，後置ＷＤＭカプラ（後置励起光導入手段）３６，光アイソレータ４２，４４，４６，光スイッチ（光接続手段）５０を備える
　・・・（中略）・・・
　
第二前置光ファイバ増幅器２２は，端子５１と端子５４とが接続されている場合に，第一後置光ファイバ増幅器１８の出射光を増幅して出射する。第二前置光ファイバ増幅器２２は，例えば，Ｅｒ（Ｅｒｂｉｕｍ：エルビウム）添加光ファイバである
　・・・（中略）・・・
　
第二後置光ファイバ増幅器２８は，第二前置光ファイバ増幅器２２の出射光を増幅して出射する。第二後置光ファイバ増幅器２８は，例えば，Ｅｒ（Ｅｒｂｉｕｍ：エルビウム）添加光ファイバである。ただし，第二後置光ファイバ増幅器２８の励起光は，後置励起光源３４（端子５２と端子５３とが接続されている場合）からもたらされる
　・・・（中略）・・・
　
光スイッチ５０は，（１）端子５１と端子５２とを接続する，あるいは（２）端子５１と端子５４とを接続すると共に，端子５２と端子５３とを接続する。
　（１）端子５１と端子５２とを接続する場合，第一後置光ファイバ増幅器１８の出射側と，後置ＷＤＭカプラ３６とが接続される。
　（２）端子５１と端子５４とを接続すると共に，端子５２と端子５３とを接続する場合，第一後置光ファイバ増幅器１８の出射側と，第二前置光ファイバ増幅器２２の入射側とが接続されると共に，後置ＷＤＭカプラ３６と第二後置光ファイバ増幅器２８の出射側とが接続される
イ　ここで，図１は以下のものである。
　上記図１から，第二前置光ファイバ増幅器２２及び第二後置光ファイバ増幅器２８は，光スイッチの端子５３と５４の間に直列に配置されていることが見て取れる。
ウ　以上の記載から，引用例２には以下の発明が記載されているものと認められる。
「光増幅装置１であって，
　第一前置光ファイバ増幅器１２，第一前置励起光源１４，第一ＷＤＭカプラ（第一前置励起光導入手段）１６，第一後置光ファイバ増幅器１８，第二前置光ファイバ増幅器２２，第二前置励起光源２４，第二ＷＤＭカプラ（第二前置励起光導入手段）２６，第二後置光ファイバ増幅器２８，後置励起光源３４，後置ＷＤＭカプラ（後置励起光導入手段）３６，光アイソレータ４２，４４，４６，光スイッチ（光接続手段）５０を備え，
　第二前置光ファイバ増幅器２２及び第二後置光ファイバ増幅器２８は，光スイッチ５０の端子５３と５４の間に直列に配置され，
　光スイッチ５０は，
　（１）端子５１と端子５２とを接続する，あるいは
　（２）端子５１と端子５４とを接続すると共に，端子５２と端子５３とを接続し，
　（１）端子５１と端子５２とを接続する場合，第一後置光ファイバ増幅器１８の出射側と，後置ＷＤＭカプラ３６とが接続され，
　（２）端子５１と端子５４とを接続すると共に，端子５２と端子５３とを接続する場合，第一後置光ファイバ増幅器１８の出射側と，第二前置光ファイバ増幅器２２の入射側とが接続されると共に，後置ＷＤＭカプラ３６と第二後置光ファイバ増幅器２８の出射側とが接続されるものであり，
　第二前置光ファイバ増幅器２２は，端子５１と端子５４とが接続されている場合に，第一後置光ファイバ増幅器１８の出射光を増幅して出射する，例えば，Ｅｒ（Ｅｒｂｉｕｍ：エルビウム）添加光ファイバであり，第二後置光ファイバ増幅器２８は，第二前置光ファイバ増幅器２２の出射光を増幅して出射する，例えば，Ｅｒ（Ｅｒｂｉｕｍ：エルビウム）添加光ファイバである，
光増幅装置１。」
４　対比
（１）本願発明と引用発明とを対比する。
ア　引用発明の「光コネクタ１０１」及び「光コネクタ１０２」は，それぞれ本願発明の「入力ポート」及び「出力ポート」に相当する。
イ　引用発明においては，「光コネクタ１０１から信号光を入力し，ＥＤＦ１０３（またはＥＤＦ１０３と増設ＥＤＦモジュールＺ１内のＥＤＦ１３３）により信号光を増幅」するところ，「ＥＤＦ１０３とＥＤＦ１３３は信号光を光直接増幅する媒体であ」るから，「ＥＤＦ１０３から入力される信号光を，ＥＤＦ増設ポートＸ１の光コネクタ１２１に出力するか，またはＥＤＦ増設ポートＸ１を迂回して光スイッチ１０９のポートＤに出力するかを選択」する「光スイッチ１０８」は，光コネクタ１０１に光学的に結合されたものといえる。よって，引用発明の「光スイッチ１０８」は，本願発明の「前記入力ポートに光学的に結合されたバークロススイッチ」とは，「前記入力ポートに光学的に結合された光スイッチ」である点で一致する。
ウ　引用発明の「光スイッチ１０８はＥＤＦ１０３から入力される信号光を，ＥＤＦ増設ポートＸ１の光コネクタ１２１に出力するか，またはＥＤＦ増設ポートＸ１を迂回して光スイッチ１０９のポートＤに出力するかを選択」するものであるから，引用発明の「ＥＤＦ増設ポートＸ１（１２０）に実装される増設ＥＤＦモジュールＺ１（１３０）内のＥＤＦ１３３」と，本願発明の「前記バークロススイッチの第2のポートと第3のポートとの間に光学的に結合された二次利得段」とは，「前記光スイッチを介して光学的に結合された二次利得段」である点で一致する。
エ　引用発明においては，「ＰＤ１０４及びＰＤ１０５は，光モジュール部１００の入出力信号（光信号）の信号光パワーを検出するための光検出器であり」，「変換部２０１は，光検出器ＰＤ１０４から出力される光電流の信号を数値データ化するための変換回路であり，」「変換部２０２は，光検出器ＰＤ１０５から出力される光電流の信号を数値データ化するための変換回路であり，」「演算制御部２１１は，変換部２０１及び変換部２０２から出力される光信号の数値データを受信」するから，前記「ＰＤ１０４」及び「ＰＤ１０５」は，それぞれ，本願発明の「光ビームの入力パワーを測定し，それを入力としてコントローラに提供する入力フォトダイオード」及び「光ビームの出力パワーを測定し，それを入力としてコントローラに提供する出力フォトダイオード」に相当する。
オ　引用発明においては，「光スイッチ１０８はＥＤＦ１０３から入力される信号光を，ＥＤＦ増設ポートＸ１の光コネクタ１２１に出力するか，またはＥＤＦ増設ポートＸ１を迂回して光スイッチ１０９のポートＤに出力するかを選択し，光スイッチ１０９は，ＥＤＦ増設ポートＸ１の光コネクタ１２２から入力される信号光，または光スイッチ１０８のポートＢから入力される信号光のいずれか選択し，光コネクタ１０２から出力するものであ」ることと，本願発明の「前記バークロススイッチのバー状態では，前記二次利得段がバイパスされ，クロス状態では，前記二次利得段および前記第1の利得段が入力光ビームに適用され」ることとは，「前記光スイッチの接続状態には，前記二次利得段がバイパスされる接続状態と，前記二次利得段が入力光ビームに適用される接続状態があ」る点で一致する。
カ　引用発明の「演算制御部２１１は，変換部２０１及び変換部２０２から出力される光信号の数値データを受信し，信号光を増幅するために必要な励起光パワーを算出し，制御線Ｓを通してＬＤ制御部２０３及びＬＤ制御部２０４に制御データを設定するための演算制御部であり，また，演算制御部２１１は，光スイッチ１０８と制御線Ｓ１で接続されており，この制御線Ｓ１を通して，光スイッチ１０８におけるポート切り替えを制御し，同様に，演算制御部２１１は，光スイッチ１０９と制御線Ｓ２で接続されており，この制御線Ｓ２を通して，光スイッチ１０９におけるポート切り替えを制御するものであ」ることと，本願発明の「前記コントローラは，１つ又は複数のポンプ源，ならびに前記バークロススイッチのスイッチ状態を制御するために，前記光ビームの入力パワーと前記光ビームの出力パワーの測定値を使用」することとは，「前記コントローラは，１つ又は複数のポンプ源，ならびに前記光スイッチのスイッチ状態を制御するために，前記光ビームの入力パワーと前記光ビームの出力パワーの測定値を使用する」点で一致する。
キ　引用発明の「光ファイバ増幅装置１」は，本願発明の「光増幅器」に相当する。
（２）以上から，本願発明と引用発明とは，以下の点で一致する。
「入力ポートと，
　前記入力ポートに光学的に結合された光スイッチと，
　前記光スイッチを介して光学的に結合された二次利得段と，
　光ビームの入力パワーを測定し，それを入力としてコントローラに提供する入力フォトダイオードと，
　光ビームの出力パワーを測定し，それを入力としてコントローラに提供する出力フォトダイオードと
を備える光増幅器であって，前記光スイッチの接続状態には，前記二次利得段がバイパスされる接続状態と，前記二次利得段が入力光ビームに適用される接続状態があり，
　前記コントローラは，１つ又は複数のポンプ源，ならびに前記光スイッチのスイッチ状態を制御するために，前記光ビームの入力パワーと前記光ビームの出力パワーの測定値を使用する，
光増幅器。」
（３）一方，両者は以下の各点で相違する。
《相違点１》
　本願発明は「前記入力ポートに光学的に結合されたバークロススイッチ」を備えるのに対して，引用発明は「前記入力ポートに光学的に結合された光スイッチ」は備えるものの，「バークロススイッチ」を備えることまでは特定されていない点。
《相違点２》
　本願発明は「前記バークロススイッチの第1のポートと出力ポートとの間に光学的に結合された第1の利得段」を備えるが，引用発明は当該構成を備えない点。
《相違点３》
　本願発明は「前記バークロススイッチの第2のポートと第3のポートとの間に光学的に結合された二次利得段」を備えるのに対して，引用発明は「光スイッチを介して光学的に結合された二次利得段」は備えるものの，本願発明に係る前記構成は備えない点。
《相違点４》
　本願発明においては，「前記バークロススイッチのバー状態では，前記二次利得段がバイパスされ，クロス状態では，前記二次利得段および前記第1の利得段が入力光ビームに適用され」るものであるのに対して，引用発明においては，「光スイッチの接続状態には，前記二次利得段がバイパスされる接続状態と，前記二次利得段が入力光ビームに適用される接続状態があ」るものの，本願発明に係る前記構成は備えない点。
《相違点５》
　本願発明においては，「前記コントローラは，１つ又は複数のポンプ源，ならびに前記バークロススイッチのスイッチ状態を制御するために，前記光ビームの入力パワーと前記光ビームの出力パワーの測定値を使用する」ものであるのに対して，引用発明においては，「前記コントローラは，１つ又は複数のポンプ源，ならびに前記光スイッチのスイッチ状態を制御するために，前記光ビームの入力パワーと前記光ビームの出力パワーの測定値を使用する」ものであるものの，「前記バークロススイッチのスイッチ状態を制御するために，前記光ビームの入力パワーと前記光ビームの出力パワーの測定値を使用する」ものではない点。
《相違点６》
　本願発明においては，「前記二次利得段が，各々が個別の利得平坦化フィルタと，アイソレータと，希土類ドープファイバとを備える複数のカスケード接続利得段を備え」るのに対して，引用発明は「二次利得段」に対応する構成は備えるものの，「各々が個別の利得平坦化フィルタと，アイソレータと，希土類ドープファイバとを備える複数のカスケード接続利得段を備え」ない点。
《相違点７》
　本願発明においては，「前記カスケード接続利得段の1つまたは複数が，前の段からの残余ポンプ光を使用する」のに対して，引用発明は当該構成を備えない点。
５　判断
（１）まず，相違点１，３〜５について，まとめて検討する。
　例えば，３（２）で摘記した引用例２における「光スイッチ５０」のほか，以下の各周知文献に記載されているように，バー状態とクロス状態を切り換えることにより光路の切替を行う光スイッチ（本願発明における「バークロススイッチ」）は周知のものである。
周知例１：特開２００７−６５０３４号公報
　当審において通知した拒絶理由に引用され，本願の優先日前に日本国内において頒布された特開２００７−６５０３４号公報（以下「周知例１」という。）には，図１０とともに以下の記載がある
「【０００２】
　各種光学機器には，図１０に示すようなクロス型の光スイッチ１０が使用されているものがある。クロス型の光スイッチ１０は，４本の光ファイバＦ１〜Ｆ４のうち，図１０の（ａ）のように光ファイバＦ１，Ｆ２の端部間および光ファイバＦ３，Ｆ４の端部間が光学的に接続された第１状態と，図１０の（ｂ）のように，光ファイバＦ１，Ｆ４の端部間および光ファイバＦ２，Ｆ３の端部間が光学的に接続された第２状態の切り換えが可能になっている。」
　ここで，図１０は以下のものである。
周知例２：特開昭５７−１０９９０３号公報
　当審において通知した拒絶理由に引用され，本願の優先日前に日本国内において頒布された特開昭５７−１０９９０３号公報（以下「周知例２」という。）には，第２図（イ）（ロ）とともに以下の記載がある。
「・・・，サブステーションＳＴの非作動時には第２図（イ）に示す如く端子ＡとＢとを光学的に接続し，バイパスラインＢＬをトランクラインＴＬから切り離しておき，サブステーションＳＴの動作時には第２図（ロ）に示す如く端子ＡとＣ及び端子ＤとＢを夫々光学的に接続し，トランクラインＴＬにバイパススラインＢＬを介入させてトランクラインＴＬの光信号をバイパススラインＢＬの信号処理装置ＳＰに導き，・・・」
　ここで，第２図（イ）（ロ）は以下のものである。
　そして，引用発明は，「信号光および励起光の伝送方向を切り替えるための光スイッチ」として「光スイッチ１０８及び光スイッチ１０９」を用いるものであるところ，引用例１には，「光スイッチ１０８及び光スイッチ１０９は，１×２及び２×１の光インターフェースを有する光スイッチで構成されているが，信号光の伝送方向を切り替えることが可能な構成な光スイッチであれば，どのような構成のものであってもよい」（段落【００２８】）と記載されているから，１×２及び２×１の光インターフェースを有する光スイッチ以外の光スイッチを用い得ることは明らかである。
　それゆえ，引用発明において，「信号光および励起光の伝送方向を切り替えるための光スイッチ」として，「光スイッチ１０８及び光スイッチ１０９」を用いるものに代えて，前記周知のものである，バー状態とクロス状態を切り換えることにより光路の切替を行う光スイッチ（以下「バークロススイッチ」という。）を用いることは，当業者が適宜になし得たことである。
　この際，前記バークロススイッチが備える４つのポートのうちの二つのポートは，それぞれ入力側及び出力側に接続され，残り二つのポートの間（本願発明における「第2のポートと第3のポートとの間」）に「光学的に結合された二次利得段」を備え（相違点３），「前記バークロススイッチのバー状態では，前記二次利得段がバイパスされ，クロス状態では，前記二次利得段および前記第1の利得段が入力光ビームに適用され」る（相違点４）ことになり，また，「コントローラ」が「前記バークロススイッチのスイッチ状態を制御するために，前記光ビームの入力パワーと前記光ビームの出力パワーの測定値を使用する」もの（相違点５）となることは明らかである。
　よって，引用発明において，相違点１，３〜５に係る構成を備えることは，当業者が適宜になし得たことである。
（２）相違点２について検討する。
　引用発明においては，入力側にＥＤＦ１０３を設け，これに続いて光スイッチ１０８とともにＥＤＦ１３３を設け，一つのＥＤＦで増幅するか，あるいは二つのＥＤＦで増幅するかを切り換えるものであって，前記各ＥＤＦの配置順を入れ替えて，光スイッチとともに設けるＥＤＦを入力側に設けても同様の動作ができることは明らかである。また，上記（１）のとおり，引用発明において光スイッチとして「バークロススイッチ」を採用することは当業者が適宜になし得たことであるから，引用発明において，入力側にバークロススイッチとともにＥＤＦ１３３を設け，これに続いてＥＤＦ１０３を設けて，「前記バークロススイッチの第1のポートと出力ポートとの間に光学的に結合された第1の利得段」を設けることは当業者が適宜になし得たことである。
（３）相違点６について検討する。
　前記３（２）ウに記載したとおり，引用例２には，
「
第二前置光ファイバ増幅器２２及び第二後置光ファイバ増幅器２８は，光スイッチ５０の端子５３と５４の間に直列に配置され
　光スイッチ５０は，
　（１）端子５１と端子５２とを接続する，あるいは
　（２）端子５１と端子５４とを接続すると共に，端子５２と端子５３とを接続し，
　・・・（中略）・・・
　第二前置光ファイバ増幅器２２は，
端子５１と端子５４とが接続されている場合に
第二後置光ファイバ増幅器２８は，第二前置光ファイバ増幅器２２の出射光を増幅して出射する
　すなわち，引用例２には，光スイッチによってバイパスする，あるいは適用するかを選択できる利得段を，
複数の
　また，希土類ドープファイバとともに利得平坦化フィルタ（等価器）を用いることは，引用例１の段落【００３２】に「ＥＤＦ１０３及び増設ＥＤＦモジュールＺ１内のＥＤＦ１３３の前後に，信号光の信号品質を維持するために光利得等化器（ＧＥＱ），・・・（中略）・・・等の光デバイスを接続する構成とすることもできる。」と記載されているほか，以下の周知例３にも示されているように，周知の技術である。
　周知例３：特開２００３−４６１７４号公報
　当審において通知した拒絶理由に引用され，本願の優先日前に日本国内において頒布された特開２００３−４６１７４号公報（以下「周知例３」という。）には，図６とともに以下の記載がある。
「【００１７】　・・・（中略）・・・図６は，ＥＤＦに対して利得等化器４１を挿入してＥＤＦＡを構成した例である。この例では，利得等化器４１を挿入することによって，ＥＤＦによる利得を平坦化することができる。」
　さらに，光増幅器において，希土類ドープファイバの前のアイソレータと利得平坦化フィルタを迂回する構成のポンプバイパス構造を設けることは，以下の各周知例にも記載されているように，周知の技術である。
周知例４：特開２００９−２７２５７０号公報
　当審において通知した拒絶理由に引用され，本願の優先日前に日本国内において頒布された特開２００９−２７２５７０号公報（以下「周知例４」という。）には，図３とともに以下の記載がある。
「【００３４】
　励起光源１６０から出射した1440nmの励起光は，Ｐ−ＥＤＦ１０１の前段に配置した合波器１１１で信号光と合波される。その後，Ｐ−ＥＤＦ１０１とＰ−ＥＤＦ１０２で励起光の一部が吸収され，Ｐ−ＥＤＦ１０２を出射した励起光は，分波器１０９で信号光と分離され，合波器１１２に導かれた後，合波器１２１で信号光と合波される。その後，Ｐ−ＥＤＦ１０３で励起光の一部が吸収され，Ｐ−ＥＤＦ１０３で励起光の一部が吸収され，Ｐ−ＥＤＦ１０３を出射した励起光は，Ｐ−ＥＤＦ１０３の後段に設置した合分波器１１０で信号光と分離され，合分波器１１０の励起光通過用ポートに接続した励起光反射器１７０で反射され，合分波器１１０を逆戻りして，再びＰ−ＥＤＦ１０３を励起する。」
周知例５：特開２００３−２９８１５７号公報
　当審において通知した拒絶理由に引用され，本願の優先日前に日本国内において頒布された特開２００３−２９８１５７号公報（以下「周知例５」という。）には，図３とともに以下の記載がある。
「【００１８】第２波長選択結合器３５０は，第１エルビウム添加光ファイバ３４０から入力される光信号および残余ポンピング光を分離し，分離した分離光信号を第２アイソレータ３６０に出力し，分離した残余ポンピング光は第３波長選択結合器３７０に出力する。第２アイソレータ３６０は，第２波長選択結合器３５０から入力された光信号をそのまま通過させ，その逆方向から入力される光信号は遮断する。利得平坦化フィルタ５００は中間フィルタであって，第２アイソレータ３６０から入力された光信号の利得を平坦化する。」
　そして，希土類ドープファイバの前にアイソレータを設けることにより，自然放出雑音（ＡＳＥ）の影響が減少することは，以下の周知例にも記載されているように，当業者に周知の事項である。
周知例Ａ：特開平６−８５３７０号公報
　本願の優先日前に日本国内において頒布された特開平６−８５３７０号公報（以下「周知例Ａ」という。）には，図１とともに以下の記載がある。
「【００１７】ところで，信号光入力側の光増幅ファイバ６によって発生した自然放出光は，信号光と同じ波長帯なので，合分波器９，光アイソレータ１１および合分波器１０を介して信号光出力側の光増幅ファイバ７に伝搬されて信号光とともに増幅されて出力されるが，信号光出力側の光増幅ファイバ７によって発生した自然放出光は，同じく信号光と同じ波長帯なので，合分波器１０を通過して光アイソレータ１１によって遮断され，信号光入力側の光増幅ファイバ６へは伝搬しない。
【００１８】本実施例の光ファイバ増幅器では，信号光入力側の光増幅ファイバ６による増幅と信号光出力側の光増幅ファイバ７による増幅との２段の増幅を行っているので，全体の雑音指数を決定する度合が大きい信号光入力側の光増幅ファイバ６に信号光出力側の光増幅ファイバ７によって発生した自然放出光を伝搬させないことは，全体の雑音指数を小さくする上で大きな役割を果たす。」
　ここで，図１は以下のものである。
周知例Ｂ：米国特許第６４２４４５７号明細書
　本願の優先日前に外国において頒布された米国特許第６４２４４５７号明細書（以下「周知例Ｂ」という。）には，ＦＩＧ．３とともに以下の記載がある。
「A pump coupler such as a wavelength division multiplexing coupler  38  or any other suitable coupler may be used to couple pump power from pump  36  into coil  40 . Residual pump power from coil  40  may be separated from the main fiber path using coupler  42  and provided to coil  50  via bypass fiber  48  and coupler  46 . An isolator  44  may be used to prevent backwards-propagating light due to spontaneous emission in coil  50  from adversely affecting the noise figure in coil  40 .」（４欄２５〜３３行）
（日本語訳：ポンプ36からのポンプパワーをコイル40に結合するために，波長分割多重カップラ38などのポンプカプラまたは他の適切なカプラを使用することができる。コイル40からの残留ポンプ電力は，カプラ42を用いて主ファイバ経路から分離され，バイパスファイバ48およびカプラ46を介してコイル50に供給される。コイル50における自然放出による後方伝播光がコイル40におけるノイズ指数に悪影響を及ぼすのを防止するために，アイソレータ44を使用することができる。）
　ここで，ＦＩＧ．３は以下のものである。
　したがって，引用発明の二次利得段において，引用例２に記載された発明に係る複数の希土類ドープファイバとともに，それぞれ周知技術である，アイソレータ及び利得平坦化フィルタを組み合わせて，「各々が個別の利得平坦化フィルタと，アイソレータと，希土類ドープファイバとを備える複数のカスケード接続利得段を備え」ることは，当業者が適宜になし得たことである。
　よって，引用発明において，相違点６に係る構成を備えることは，当業者が適宜になし得たことである。
（４）相違点７について検討する。
　複数の希土類ドープファイバからなる，多段（すなわち「カスケード接続利得段」）の光増幅器において，一つの励起光源を入力側において結合し，前記複数の希土類ドープファイバの励起を，前記一つの励起光源により行うことは，前記周知例４（例えば図２２参照。）のほか，以下の各周知例にも記載されているような周知技術であって，当該周知技術においては，前段の希土類ドープファイバを励起した残余の励起光が，後段の希土類ドープファイバを励起することは当然のことである。
　周知例４には，図２２とともに，更に以下の記載がある。
「【００７６】
　励起光源１６０から発した励起光は，Ｐ−ＥＤＦ１０１，分波器１０９，合波器６０４，Ｐ−ＥＤＦ６０５，分波器６０６，合波器１１２を経て，Ｐ−ＥＤＦ１０３に入射する。（後略）」
周知例６：特開２００１−３１３４３３号公報
　当審において通知した拒絶理由に引用され，本願の優先日前に日本国内において頒布された特開２００１−３１３４３３号公報（以下「周知例６」という。）には，図５，６とともに以下の記載がある。
「【００７９】図６には，図５の構成に於いて所定利得を得るための必要な増幅媒体１を複数に分割して，その間にそれぞれ利得等化器を配置し，光増幅器内の全体の増幅媒体で長手方向に分布的又は分散的に利得等化器を配置けた場合を示している。
【００８０】図中11,12,13はシリカ系エルビウムドープファイバ(EDF)，21,22,23は利得等化器(GEQ)，31及び32は光アイソレータ，4は励起光源,5は波長多重カプラ，8は入力端，9は出力端，71,72は光分岐カプラ，81は入力モニタPD，82は出力モニタPD，50は利得一定制御回路(AGC)をそれぞれ示す。」
　ここで，図６は以下のものである。
周知例７：特開平１０−１３５５４４号公報
　当審において通知した拒絶理由に引用され，本願の優先日前に日本国内において頒布された特開平１０−１３５５４４号公報（以下「周知例７」という。）には，図１とともに以下の記載がある。
「【００２１】図１は本発明の光増幅器の一実施の形態を示すブロック図である。尚，図５に示した従来例と同様の部材には共通の符号を用いた。
【００２２】同図に示すように信号光Ｌｉが入力される光ファイバ１が光アイソレータ２を介して第１の希土類添加光ファイバ３の入力側に接続されると共にその間に，光合分波器４が接続され，光合分波器４には励起光源５が接続されている。希土類添加光ファイバ３の出力側は第２の希土類添加光ファイバ１１の入力側が接続されると共にその間に，他の光合分波器１２が接続されている。第２の希土類添加光ファイバ１１の出力側は第３の希土類添加光ファイバ１３の入力側が接続されると共にその間に，さらに他の光合分波器１４が接続されている。光合分波器１４は第２の光合分波器１２と光ファイバ１５で接続されている。希土類添加光ファイバ１３の出力側には増幅された信号光Ｌｏが出力される光ファイバ７が光アイソレータ６を介して接続されて光増幅器１６が構成されている。
　・・・（中略）・・・
【００２４】従って，励起光は第１の希土類添加光ファイバ３と第３の希土類添加光ファイバ１３とを通過しこれらを励起するが，第２の希土類添加光ファイバ１１は迂回するので第２の希土類添加光ファイバ１１を励起することはない。一方，信号光Ｌｉは第１の希土類添加光ファイバ３，第２の希土類添加光ファイバ１１及び第３の希土類添加光ファイバ１３の順に通過するので，増幅される途中で，励起されていない第２の希土類添加光ファイバ１１において一部吸収される。この結果，光増幅器１６の波長利得特性が平坦化される。」
　そして，引用発明においても複数の希土類ドープファイバからなる，多段の光増幅器であるところ，各希土類ドープファイバについて個々の励起光源を設けることに代えて，前記周知技術を用いることは，当業者が適宜になし得たことである。
　ここで，前記（３）のとおり，二次利得段において，複数の希土類ドープファイバとともにそれぞれ利得平坦化フィルタ及びアイソレータを組み合わせたものであっても，より前段の希土類ドープファイバを励起した残余の励起光が，より後段の希土類ドープファイバを励起することは明らかである。
　よって，引用発明において，相違点７に係る構成を備えることは，当業者が適宜になし得たことである。
（５）以上検討したとおり，引用発明において，相違点１〜７に係る構成を備えることは，いずれも当業者が適宜になし得たことである。
　したがって，本願発明は，周知技術を勘案して，引用発明及び引用例２に記載された技術に基づいて当業者が容易に発明をすることができたものであるから，特許法第２９条第２項の規定により特許を受けることができない。
６　むすび
　以上のとおりであるから，他の請求項について検討するまでもなく，本願は拒絶すべきものである。
　よって，結論のとおり審決する。